(57)【要約】【課題】捕獲する魚の種類やその具体的な漁法に応じて、光源ランプからの光の反射方向を制御して、所望の配光制御を実現することができ、電力使用量を低減できる集魚灯を提供すること。【解決手段】光源ランプ３と、光源ランプの上方に配置され、光源ランプと対向する面を反射面とした第１反射板４と、光源ランプの下方に配置され、光源ランプと対向する面を反射面とした第２反射板５と、光源ランプを側方から覆うように配置され、光源ランプと対向する面を反射面とした第３反射板６を有し、第１反射板４、第２反射板５及び第３反射板６が連続して配置されている集魚灯である。【選択図】図１
0003154711.tif 000002
【実用新案登録請求の範囲】
【請求項１】
光源ランプと、
光源ランプの上方に配置され、光源ランプと対向する面を反射面とした第１反射板と、
光源ランプの下方に配置され、光源ランプと対向する面を反射面とした第２反射板とを有する集魚灯。
【請求項２】
光源ランプを側方から覆うように配置され、光源ランプと対向する面を反射面とした第３反射板を有し、第１反射板、第２反射板及び第３反射板が連続して配置されている請求項１に記載の集魚灯。
【請求項３】
第１反射板の反射面が光源ランプ側に向けて下方に傾斜する複数の平面の組合せによって形成されている請求項１又は２に記載の集魚灯。
【請求項４】
第２反射板の反射面が光源ランプ側に向けて上方に傾斜する複数の平面の組合せによって形成されている請求項１〜３のいずれかに記載の集魚灯。
【請求項５】
第３反射板の反射面が複数の平面の組合せによって形成されている請求項２に記載の集魚灯。
【請求項６】
第１反射板が光源ランプを上方から覆うように笠状に形成されている請求項１に記載の集魚灯。
【請求項７】
第２反射板の反射面の少なくとも一部が上方に向けて凸状に形成されている請求項６に記載の集魚灯。
【請求項８】
第１反射板及び第２反射板の反射面が複数の平面の組合せによって形成されている請求項６又は７に記載の集魚灯。
【請求項９】
第１反射板の上側に、集魚灯を吊すために水平に架け渡された紐状部材に引っ掛けて固定する機構を備えた固定部材が、少なくとも２つ固定されている請求項１〜８のいずれかに記載の集魚灯。
【請求項１０】
第２反射板の下側に、集魚灯を設置するために水平に架け渡された紐状部材が挿通される支持リングが固定されている請求項９に記載の集魚灯。
【考案の詳細な説明】
【技術分野】
【０００１】
本考案は、いか釣り船などの漁船に設置され、船上から海面を照明して集魚する集魚灯に関する。
【背景技術】
【０００２】
いか釣り船などの漁船において、集魚のために使用される集魚灯の最も基本的なタイプは、裸の光源ランプによるものであるが、近年では、海面への照明効率を高めるために、光源ランプを覆う笠状の反射板を設けたものも多用されている。
【０００３】
しかし、単に笠状の反射板を設けただけでは、光源ランプからの光の反射方向を制御することはできない。すなわち、集魚灯を用いた漁法においては、捕獲する魚の種類やその具体的な漁法に応じて、光源ランプからの光の反射方向を制御し、適切な照明の範囲や照明方法、つまり所望の配光制御を実現することが望まれるが、従来の集魚灯では、所望の配光制御を実現することはできない。
【０００４】
これに対して従来、特許文献１に開示されているように、反射板の形状を工夫することによって配光制御を行うことが試みられているが、一つの反射板の形状を変えるだけでは、配光制御の自由度に制約があり、所望の配光制御を実現することはできない。
【０００５】
そして所望の配光制御を実現できないということは、集魚のために使用されない無駄な光が多くなるということであり、電力の無駄遣いが多くなる。
【０００６】
また、従来の集魚灯において光源ランプからの光は、海面以外に漁船の甲板も照明する。甲板の照明もある程度は必要であるが、実際には必要以上に照明されており、その照明によって甲板が高温となって作業環境が悪化し、また光源ランプからの光に含まれる紫外線が作業者の健康に影響を及ぼす可能性もある。
【先行技術文献】
【特許文献】
【０００７】
【特許文献１】実開昭６１−６６８０７号公報
【考案の概要】
【考案が解決しようとする課題】
【０００８】
本考案が解決しようとする課題は、捕獲する魚の種類やその具体的な漁法に応じて、光源ランプからの光の反射方向を制御して、所望の配光制御を実現することができ、電力使用量を低減できる集魚灯を提供することにある。
【０００９】
また、他の課題は、漁船の甲板上が過度に照明されることを防止できる集魚灯を提供することにある。
【課題を解決するための手段】
【００１０】
本考案の集魚灯は、光源ランプと、光源ランプの上方に配置され、光源ランプと対向する面を反射面とした第１反射板と、光源ランプの下方に配置され、光源ランプと対向する面を反射面とした第２反射板とを有することを特徴とする。
【００１１】
このように光源ランプの上方に配置した第１反射板に加え、光源ランプの下方に第２反射板を配置することで、２つの反射板の組合せによって配光制御の自由度が増し、所望の配光制御を実現することができる。
【００１２】
また、第２反射板によって光源ランプから甲板に向けての直射光が遮られるので、甲板が過度に照明されることを防止できる。
【００１３】
本考案の集魚灯は、上記の第１反射板及び第２反射板に加え、光源ランプを側方から覆うように配置され、光源ランプと対向する面を反射面とした第３反射板を有するものとすることができる。このように光源ランプを側方に第３反射板を配置することで、光源ランプからの光が第３反射板によって側方に反射されるので、第３反射板による光の反射方向が海面側に向くように集魚灯を取り付ければ、海面を遠方まで効率的に照明できる。また、この場合、第１反射板、第２反射板及び第３反射板が連続して配置する。これによって光源ランプからの光を各反射板によって漏れなく反射できる。
【００１４】
本考案において第１反射板の反射面は、光源ランプ側に向けて下方に傾斜する複数の平面の組合せによって形成することができる。このような構成にすると、光源ランプからの光を第１反射板によって側方に反射することができ、海面を遠方まで効率的に照明できる。
【００１５】
なお、第１の反射板については、光源ランプを上方から覆うように笠状に形成し、その内面を反射面とすることもできる。この場合、先に説明した第１反射板（反射面を、光源ランプ側に向けて下方に傾斜する複数の平面の組合せによって形成した第１反射板）に比べ、側方に反射される光の到達距離は短くなり、海面を遠方まで照明することは難しいが、逆に漁船の近辺を集中的に照明したい場合には都合がよい。
【００１６】
本考案において第２反射板の反射面は、光源ランプ側に向けて上方に傾斜する複数の平面の組合せによって形成することができる。このような構成にすると、光源ランプからの光を第２反射板によって側方に反射することができ、海面を遠方まで効率的に照明できる。また、第２反射板については、その反射面の少なくとも一部を上方に向けて凸状に形成することもできる。この場合、凸状部分をなす反射面によって光源ランプからの光を側方に反射することができるので、広範囲を照明することができる。
【００１７】
以上説明した第１反射板、第２反射板及び第３反射板の反射面は、いずれも複数の平面の組合せによって形成することが好ましい。このように反射面を複数の平面の組合せによって形成すると、光源ランプからの光が反射面を形成する「平面」により直線的に反射されることから、減衰することなく遠方まで到達し、しかもその「平面」の向きを調整することにより、光の反射方向を精緻に調整することができることから、所望の配光制御を効率的に実現できる。
【００１８】
また本考案の集魚灯は、集魚灯を吊すために水平に架け渡された紐状部材に引っ掛けて固定する機構を備えた固定部材を備えることができる。この固定部材は第１反射板の上側に少なくとも２つ固定される。従来の集魚灯は光源ランプに電力を供給するケーブルによって吊すようにしていたが、この場合、ケーブルに集魚灯の全重量がかかるので、ケーブルあるいはケーブルと光源ランプのソケットとの接続部が損傷しやすい。これに対して、前記固定部材を第１反射板の上側に少なくとも２つ固定した本考案では、集魚灯が固定部材によって吊されるので、ケーブルに過剰な負担がかかることを防止できる。また、固定部材は少なくとも２つあるので、集魚灯を吊したときの安定性も向上する。
【００１９】
集魚灯を吊したときの安定性をさらに向上させるには、第２反射板の下側に、集魚灯を設置するために水平に架け渡された紐状部材が挿通される支持リングを固定することができる。これによって集魚灯の下側も拘束されるので、集魚灯の振れが抑制され、集魚灯を吊したときの安定性がさらに向上する。
【考案の効果】
【００２０】
本考案によれば、光源ランプの上方に配置した第１反射板及び光源ランプの下方に配置した第２反射板の２つの反射板の組合せによって配光制御の自由度が増し、所望の配光制御を実現することができる。これによって、集魚のために使用されない無駄な光が少なくなり、集魚のための照明効率が向上するので、集魚灯の設置個数あるいは光源ランプの出力（ワット数）を従来よりも低減でき、トータルの電力使用量を低減できる。
【００２１】
また、光源ランプの下方に配置した第２反射板によって光源ランプから甲板に向けての直射光が遮られるので、甲板が過度に照明されることを防止できる。
【００２２】
さらに光源ランプの側方に第３反射板を配置すれば、集魚のために海面を遠方までより効率的に照明できる。
【図面の簡単な説明】
【００２３】
【図１】本考案の集魚灯の第１実施例を示す正面図である。
【図２】図１の集魚灯の反射板を示す側面図である。
【図３】図１の集魚灯の反射板を示す斜視図である。
【図４】図１の集魚灯に使用する固定部材の長さを調整可能にする機構を示す側面図である。
【図５】図１の集魚灯の照明特性を示す側面図である。
【図６】図５の照明特性を広範囲で示す側面図である。
【図７】図１の集魚灯に使用する第３反射板の反射特性を示す平面図である。
【図８】図７の照明特性を広範囲で示す平面図である。
【図９】本考案の集魚灯の第２実施例を示す正面図である。
【図１０】図９の集魚灯の照明特性を示す正面図である。
【図１１】本考案の集魚灯の第３実施例を示す断面図である。
【考案を実施するための形態】
【００２４】
以下図面に示す実施例に基づき本考案の実施の形態を説明する。
【実施例１】
【００２５】
図１は本考案の集魚灯の第１実施例を示す正面図である。図２は図１の集魚灯の反射板を示す側面図、図３はその斜視図である。
【００２６】
図１において、ケーブル１の先端に設けたソケット２にメタルハライドランプ、ハロゲンランプ等からなる光源ランプ３が装着されている。そして、光源ランプ３の上方に第１反射板４が、下方に第２反射板５が、側方に第３反射板６が配置されている。これらの第１反射板４、第２反射板５及び第３反射板６は、図１〜３に示すように連続して光源ランプ３を囲むように配置されている。なお、ソケット２に装着された光源ランプ３は、第１反射板４に開けた装着孔４ｂ（図３参照）に装着後、第１反射板４の上面に固定した固定具１１によってソケット２を挟み込むことで固定される。
【００２７】
第１反射板４は、光源ランプ３と対向する面、すなわち下面を反射面４ａとしている。この反射面４ａは光源ランプ３側に向かって下方に傾斜する複数の平面の組合せによって形成されている。
【００２８】
第２反射板５は、光源ランプ３と対向する面、すなわち上面を反射面５ａとしている。この反射面５ａは光源ランプ３側に向かって上方に傾斜する複数の平面の組合せによって形成されている。
【００２９】
第３反射板６は、光源ランプ３を側方から覆うように配置され、光源ランプ３と対向する面、すなわち内面を反射面６ａとしている。この反射面６ａは複数の平面の組合せによって形成されている。
【００３０】
なお、第１反射板４、第２反射板５及び第３反射板６の各反射面（各平面）には、鏡面加工又はハンマートーン加工を施す。すなわち、反射面による反射光の指向性を高めたい場合には鏡面加工を施し、若干柔らかい反射光を得たい場合にはハンマートーン加工を施す。
【００３１】
第１反射板４の上面には、集魚灯を吊すために水平に架け渡されたワイヤＷ１（紐状部材）に引っ掛けて固定する機構を備えた２本の固定部材７が固定されている。この実施例では、ワイヤＷ１に引っ掛けて固定する機構として、固定部材７の上端をＵ字状にし、このＵ字状の部分に上下２本のボルト・ナット７ａを装着している。すなわち、Ｕ字状の部分でワイヤＷ１に引っ掛け、上下２本のボルト・ナット７ａを装着して締め込むことでワイヤＷ１に固定する。このとき、ワイヤＷ１が上下２本のボルト・ナット７ａの間に位置するようにすると確実に固定できる。
【００３２】
固定部材７には、その上下方向の長さを調整可能にする機構を設けることもできる。例えば図４に示すように、固定部材７の下端側に長孔７ｂを開け、この長孔にボルト・ナット７ｃを装着し、第１反射板４の上面に固定されたＬ字金具７ｄに固定部材７の下端側を固定する。
【００３３】
本実施例では、上述のとおり２本の固定部材７をワイヤＷ１に引っ掛けて固定することで、集魚灯をワイヤＷ１に吊り下げることができる。従来の集魚灯はケーブル１によって吊すようにしていたが、この場合、ケーブル１に集魚灯の全重量がかかるので、ケーブル１あるいはケーブル１とソケット２との接続部が損傷しやすい。これに対して本実施例では、集魚灯が固定部材７によって吊されるので、ケーブル１に過剰な負担がかかることを防止できる。また、固定部材７は２本あるので、集魚灯を吊したときの安定性も向上する。
【００３４】
また本実施例では、集魚灯を吊したときの安定性をさらに向上させるために、第２反射板５の下側に、集魚灯を設置するために水平に架け渡されたワイヤＷ２（紐状部材）が挿通される支持リング８を固定している。これによって、集魚灯の下側も拘束されるので、集魚灯の振れが抑制され、集魚灯を吊したときの安定性がさらに向上する。
【００３５】
次に図５〜図８を参照して、本実施例の集魚灯の照明特性について説明する。
【００３６】
図５は、本実施例の集魚灯の照明特性を示す側面図である。同図に示すように、光源ランプ３からの上向きの光はおもに第１反射板４によって反射される。本実施例では第１反射板４の反射板４ａを光源ランプ３側に向けて下方に傾斜する複数の平面の組合せによって形成しているので、光源ランプ３からの上向きの光を側方（図５において左側）に反射することができる。その具体的な反射方向は、反射板４ａの傾斜角度や長さ、光源ランプ３との距離等を調整することによって設定できる。
【００３７】
また、光源ランプ３からの下向きの光はおもに第２反射板５によって反射される。本実施例では第２反射板５の反射板５ａを光源ランプ３側に向けて上方に傾斜する複数の平面の組合せによって形成しているので、光源ランプ３からの下向きの光を側方（図５において左側）に反射することができる。その具体的な反射方向は、反射板５ａの傾斜角度や長さ、光源ランプ３との距離等を調整することによって設定できる。
【００３８】
さらに、光源ランプ３から図５において右側に向かう光は第３反射板６によって反射され、図５において左側に向かう光となる。
【００３９】
このように第１反射板４、第２反射板５及び第３反射板６の組合せによって、光源ランプ３からの光を効率的に側方（図５において左側）に反射することができ、その光の反射方向が海面側に向くように集魚灯を取り付ければ、海面を効率的に照明できる。さらに、具体的な光の反射方向は、第１反射板４、第２反射板５及び第３反射板６の形状や配置等を調整することにより制御可能であり、所望の配光制御を実現することができる。例えば、図６に示すようにいか釣り船Ｓの甲板の照明は必要最小限とし、海面を２０〜２５ｍ程度の遠方まで照明できる。
【００４０】
なお、図６ではいか釣り船Ｓの片側だけの照明特性を示しているが、実際に両側を照明するには、集魚灯をいか釣り船Ｓの進行方向に２列に配置するか、１列に配置する場合は、集魚灯の向きが交互に反対となるようにする。
【００４１】
図７は、本実施例の第３反射板６の反射特性を示す平面図である。第３反射板６の反射面６ａは複数の平面の組合せ、具体的には平板を順次折り曲げて多段に形成されているので、反射面６ａを構成する各平面の向きや長さを調整することで、図７に示すように光源ランプ３からの光を水平方向に拡がるように反射することができる。これよって、例えば図８に示すように、１灯の集魚灯によって２０〜２５ｍ程度の広範囲を照明できる。したがって、集魚灯の設置個数あるいは光源ランプの出力（ワット数）を従来よりも低減でき、トータルの電力使用量を低減できる。
【００４２】
ここで、光源ランプ３の外周面から第３反射板６の反射面６ａまでの距離（最短距離）は、大きすぎると反射光の強度が小さくなり、また反射光が側方に直線的に遠方に行き過ぎる傾向となる。一方、前記距離が小さすぎると反射光の強度は大きくなるものの、光源ランプ３が熱によって早期に劣化しやすくなり、また反射光が水平方向に拡がり過ぎる傾向となる。したがって、前記距離は適正な範囲にすることが好ましい。具体的は、光源ランプの出力が２ｋＷの場合、前記距離は６０〜７０ｍｍ、光源ランプの出力が３ｋＷの場合、前記距離は７０〜８０ｍｍにすることが好ましい。
【実施例２】
【００４３】
図９は、本考案の集魚灯の第２実施例を示す正面図である。この実施例は、先の第１実施例の第３反射板を使用しない例である。
【００４４】
図９において、ケーブル１の先端に設けたソケット２にメタルハライドランプからなる光源ランプ３が装着されている。そして、光源ランプ３を上方から覆うように笠状の第１反射板４が取り付けられている。この第１反射板４は、ソケット２を装着する器具本体９に連結されることにより支持されている。
【００４５】
第１反射板４は、横断面が正多角形の笠状に形成されており、その内面が反射面とされている。具体的には第１反射板４の反射面は、それぞれ傾斜角度の異なる上下３段以上の傾斜部から形成され、各傾斜部が複数の平面の組合せにより形成されている。このように、第１反射板４の反射面は複数の平面の組合せによって形成されている。
【００４６】
第１反射板４の反射面（各平面）には、鏡面加工又はハンマートーン加工を施す。すなわち、反射面による反射光の指向性を高めたい場合には鏡面加工を施し、若干柔らかい反射光を得たい場合にはハンマートーン加工を施す。
【００４７】
第１反射板４の下方には、第２反射板５が配置されている。この第２反射板６は、第１反射板４又は器具本体９に複数の連結体１０を介して連結されることにより支持されている。
【００４８】
第２反射板５は、その上面が反射面とされている。本実施例において第２反射板５の反射面は、中心側の第１反射面５ａ−１と外周側の第２反射面５ｂ−１とからなる。第１反射面５ａ−１及び第２反射面５ａ−２は、いずれも上方に向けて突き出す凸状に形成されているが、その傾斜角度（立ち上がり角度）を異ならせている。また、第１反射面５ａ−１及び第２反射面５ａ−２は、複数の平面の組合せによって形成されており、この複数の平面からなる第１反射面５ａ−１及び第２反射面５ａ−２は、第２反射板５の垂直中心軸に対して対称となるように形成されている。第２反射板５の反射面（各平面）には、第１反射板４の反射面と同様に鏡面加工又はハンマートーン加工を施す。なお、第１反射面５ａ−１の頂部は、水平面からなる反射面としても良いし、空洞としても良い。
【００４９】
以上の構成において、光源ランプ３からの光は、図１０に示すように第１反射板４で反射されるとともに第２反射板５でも反射される。さらに、第１反射板４で反射された光の一部は第２反射板５で反射される。このように、第１反射板４及び第２反射板５を組み合わせることで、光の反射経路が多様となり、第１反射板４及び第２反射板５の形状やその位置関係を適宜設定することにより、所望の配光制御を得ることができる。とくに本実施例では、第２反射板５の第１反射面５ａ−１及び第２反射面５ａ−２を、いずれも上方に向けて突き出す凸状に形成し、さらに、第１反射面５ａ−１の傾斜角度（立ち上がり角度）を急峻にしていることから、とくに第１反射面５ａ−１によって光は側方に反射され、より遠方を照明することができる。
【００５０】
また、第２反射板５によって光源ランプ３から甲板に向けての直射光が遮られるので、甲板が過度に照明されることを防止できる。
【００５１】
なお、図９中の符号７は固定部材、符号８は支持リングであり、先の第１実施例と同一の構成である。
【実施例３】
【００５２】
図１１は、本考案の集魚灯の第３実施例を示す断面図である。この実施例は、先の第２実施例において第２反射板の第２反射面５ａ−１を水平面によって形成したものである。その他の構成は、第２実施例と同一であるので、同一の符号を付してその説明を省略する。
【００５３】
この実施例のように第２反射板の第２反射面５ａ−２を水平面にすると、光源ランプ３からの光又は第１反射板４からの反射光は上方に反射されるので、比較的狭い範囲を高い範囲で照明することができる。
【符号の説明】
【００５４】
１  ケーブル
２  ソケット
３  光源ランプ
４  第１反射板
４ａ  反射面
５  第２反射板
５ａ  反射面
５ａ−１  第１反射面
５ａ−２  第２反射面
６  第３反射板
６ａ  反射面
７  固定部材
７ａ  ボルト・ナット
７ｂ  長孔
７ｃ  ボルト・ナット
７ｄ  Ｌ字金具
８  支持リング
９  器具本体
１０  連結体
１１  固定具
【図１】
0003154711.tif 000003
【図２】
0003154711.tif 000004
【図３】
0003154711.tif 000005
【図４】
0003154711.tif 000006
【図５】
0003154711.tif 000007
【図６】
0003154711.tif 000008
【図７】
0003154711.tif 000009
【図８】
0003154711.tif 000010
【図９】
0003154711.tif 000011
【図１０】
0003154711.tif 000012
【図１１】
0003154711.tif 000013